(57)【特許請求の範囲】
【請求項１】
サーバがモバイルネットワークのトラフィックを測定する方法であって、
モバイル端末からパケットを受信するステップ、
前記パケットに基づいて前記モバイル端末に対するネットワークトラフィックを測定するステップ、
前記測定されたネットワークトラフィックに基づいて１つ以上の測定指標を生成するステップ、および
前記モバイル端末から前記モバイル端末によって収集された測定情報を受信するステップ
を含み、
前記パケットに基づいて前記モバイル端末に対するネットワークトラフィックを測定するステップは、前記モバイル端末によって収集された測定情報を追加的に使用することによって前記ネットワークトラフィックを測定し、
前記サーバは、前記モバイル端末から受信した要請を前記要請が示す対象に伝達し、前記対象から受信した前記要請に対する応答を前記モバイル端末に伝達する、モバイルネットワークのトラフィックを測定する方法。
【請求項２】
前記サーバは、仮想プライベートネットワークを提供するサーバであり、
前記モバイル端末は、前記仮想プライベートネットワークを通じて通信するように設定された、請求項１に記載のモバイルネットワークのトラフィックを測定する方法。
【請求項３】
前記モバイル端末に前記仮想プライベートネットワーク上のＩＰアドレスを付与するステップ
をさらに含む、請求項２に記載のモバイルネットワークのトラフィックを測定する方法。
【請求項４】
前記モバイル端末から前記仮想プライベートネットワークを使用するために求められる認証の要請を受信するステップ、および
前記モバイル端末または前記モバイル端末のユーザに前記認証を付与するステップ
をさらに含む、請求項２に記載のモバイルネットワークのトラフィックを測定する方法。
【請求項５】
前記サーバはプロキシサーバであり、
前記モバイル端末は、前記プロキシサーバが提供するプロキシサービスを通じて通信するように設定された、請求項１に記載のモバイルネットワークのトラフィックを測定する方法。
【請求項６】
前記パケットは、前記モバイル端末にインストールされた１つ以上のアプリケーションによって生成された、請求項１に記載のモバイルネットワークのトラフィックを測定する方法。
【請求項７】
前記パケットに基づいて前記モバイル端末に対するネットワークトラフィックを測定するステップは、
前記パケットのヘッダを分析するステップ、および
前記分析に基づいて特定条件を満たすパケットをカウントすることによって前記ネットワークトラフィックを測定するステップ
を含む、請求項１に記載のモバイルネットワークのトラフィックを測定する方法。
【請求項８】
前記特定条件を満たすパケットは、特定のＵＲＬパターンに対応するパケットである、請求項７に記載のモバイルネットワークのトラフィックを測定する方法。
【請求項９】
前記特定条件は１つ以上の条件であり、
前記分析に基づいて特定条件を満たすパケットをカウントすることによって前記ネットワークトラフィックを測定するステップは、前記１つ以上の条件それぞれに対して前記特定条件を満たすパケットをカウントすることにより、前記１つ以上の条件それぞれに対する前記ネットワークトラフィックを測定する、請求項７に記載のモバイルネットワークのトラフィックを測定する方法。
【請求項１０】
前記パケットに基づいて前記モバイル端末に対するネットワークトラフィックを測定するステップは、
前記モバイル端末に付与されたＩＰアドレス、前記モバイル端末のユーザに付与されたユーザ識別子、前記パケットを生成した前記モバイル端末内のアプリケーション、前記モバイル端末のオペレーティングシステム、および前記パケットのタイムスタンプのうちの１つ以上の情報を抽出するステップ
をさらに含み、
前記分析に基づいて特定のＵＲＬパターンに対応するパケットをカウントすることによって前記ネットワークトラフィックを測定するステップは、前記１つ以上の情報に基づいて前記ネットワークトラフィックを測定する、請求項７に記載のモバイルネットワークのトラフィックを測定する方法。
【請求項１１】
前記パケットに基づいて前記モバイル端末に対するネットワークトラフィックを測定するステップは、
前記モバイル端末に付与されたＩＰアドレス、前記モバイル端末のユーザに付与されたユーザ識別子、前記パケットを生成した前記モバイル端末内のアプリケーション、前記モバイル端末のオペレーティングシステム、および前記パケットのタイムスタンプのうちの１つ以上の情報を抽出するステップ
をさらに含み、
前記分析に基づいて特定条件を満たすパケットをカウントすることによって前記ネットワークトラフィックを測定するステップは、前記１つ以上の情報によって前記ネットワークトラフィックを分類して測定する、請求項７に記載のモバイルネットワークのトラフィックを測定する方法。
【請求項１２】
前記１つ以上の測定指標は検索クエリカウントを含む、請求項１に記載のモバイルネットワークのトラフィックを測定する方法。
【請求項１３】
前記モバイル端末によって収集された測定情報は、メータ測定方式によって収集されたメータ測定情報である、請求項１に記載のモバイルネットワークのトラフィックを測定する方法。
【請求項１４】
請求項１に記載の方法を実行するためのプログラムを記録した、コンピュータで読み取り可能な記録媒体。
【請求項１５】
モバイルネットワークトラフィック測定サーバであって、
モバイル端末からパケットを受信する受信部、
前記パケットに基づいて前記モバイル端末に対するネットワークトラフィックを測定するネットワークトラフィック測定部、および
前記測定されたネットワークトラフィックに基づいて１つ以上の測定指標を生成する測定指標生成部
を含み、
前記受信部は、前記モバイル端末から前記モバイル端末によって収集された測定情報を受信し、
前記ネットワークトラフィック測定部は、前記モバイル端末によって収集された測定情報を追加的に使用することによって前記ネットワークトラフィックを測定し、
前記サーバは、前記モバイル端末から受信した要請を前記要請が示す対象に伝達し、前記対象から受信した前記要請に対する応答を前記モバイル端末に伝達する、モバイルネットワークトラフィック測定サーバ。
【請求項１６】
前記モバイルネットワークトラフィック測定サーバは、仮想プライベートネットワークを提供し、
前記モバイル端末は、前記仮想プライベートネットワークを通じて通信するように設定された、請求項１５に記載のモバイルネットワークトラフィック測定サーバ。
【請求項１７】
前記モバイル端末に前記仮想プライベートネットワーク上のＩＰアドレスを付与するネットワーク設定部
をさらに含む、請求項１６に記載のモバイルネットワークトラフィック測定サーバ。
【請求項１８】
前記受信部は、モバイル端末から前記仮想プライベートネットワークを使用するために求められる認証の要請を受信し、
前記モバイル端末または前記モバイル端末のユーザに前記認証を付与する認証部
をさらに含む、請求項１６に記載のモバイルネットワークトラフィック測定サーバ。
【請求項１９】
前記モバイルネットワークトラフィック測定サーバはプロキシサーバであり、
前記モバイル端末は、前記プロキシサーバが提供するプロキシサービスを通じて通信するように設定された、請求項１５に記載のモバイルネットワークのトラフィック測定サーバ。
【請求項２０】
前記パケットは、前記モバイル端末にインストールされた１つ以上のアプリケーションによって生成された、請求項１５に記載のモバイルネットワークトラフィック測定サーバ。
【請求項２１】
前記ネットワークトラフィック測定部は、前記パケットのヘッダを分析し、前記分析に基づいて特定条件を満たすパケットをカウントすることによって前記ネットワークトラフィックを測定する、請求項１５に記載のモバイルネットワークトラフィック測定サーバ。
【請求項２２】
前記特定条件を満たすパケットは、特定のＵＲＬパターンに対応するパケットである、請求項２１に記載のモバイルネットワークトラフィック測定サーバ。
【請求項２３】
前記特定条件は１つ以上の条件であり、
前記ネットワークトラフィック測定部は、前記１つ以上の条件それぞれに対して前記特定条件を満たすパケットをカウントすることにより、前記１つ以上の条件それぞれに対する前記ネットワークトラフィックを測定する、請求項２１に記載のモバイルネットワークトラフィック測定サーバ。
【請求項２４】
前記ネットワークトラフィック測定部は、前記モバイル端末に付与されたＩＰアドレス、前記モバイル端末のユーザに付与されたユーザ識別子、前記パケットを生成した前記モバイル端末内のアプリケーション、前記モバイル端末のオペレーティングシステム、および前記パケットのタイムスタンプのうちの１つ以上の情報を抽出し、前記１つ以上の情報に基づいて前記ネットワークトラフィックを測定する、請求項２１に記載のモバイルネットワークトラフィック測定サーバ。
【請求項２５】
前記ネットワークトラフィック測定部は、前記モバイル端末に付与されたＩＰアドレス、前記モバイル端末のユーザに付与されたユーザ識別子、前記パケットを生成した前記モバイル端末内のアプリケーション、前記モバイル端末のオペレーティングシステム、および前記パケットのタイムスタンプのうちの１つ以上の情報を抽出し、前記１つ以上の情報によって前記ネットワークトラフィックを分類して測定する、請求項２１に記載のモバイルネットワークトラフィック測定サーバ。
【請求項２６】
前記１つ以上の測定指標は検索クエリカウントを含む、請求項１５に記載のモバイルネットワークトラフィック測定サーバ。
【請求項２７】
前記モバイル端末によって収集された測定情報は、メータ測定方式によって収集されたメータ測定情報である、請求項１５に記載のモバイルネットワークトラフィック測定サーバ。
【発明の詳細な説明】
【技術分野】
【０００１】
本発明は、モバイルトラフィックを測定するための方法および装置に関する。
【背景技術】
【０００２】
モバイル（ｍｏｂｉｌｅ）トラフィック測定とは、モバイルネットワーク（ｎｅｔｗｏｒｋ）上のトラフィックを測定および分析することをいう。
【０００３】
実測に基づくモバイルトラフィック測定は、スマートフォン（ｓｍａｒｔｐｈｏｎｅ）などのモバイル装置で実際に発生したモバイルネットワークトラフィックに基づいてモバイルトラフィックを測定する。
【０００４】
トラフィックデータの種類は、ウェブ一般指標、アプリケーション別トラフィック、ウェブ検索クエリカウント（Ｑｕｅｒｙ  Ｃｏｕｎｔ：ＱＣ）、アプリケーション検索ＱＣ、開始ページに区分される。
【０００５】
１）ウェブ一般指標とは、上述した有線ネットワークの測定指標およびモバイルネットワークの測定指標を意味する。また、ウェブ一般指標とは、主要サービスを中心としたページビュー（Ｐａｇｅ  Ｖｉｅｗ：ＰＶ）、ユニークビジタ（Ｕｎｉｑｕｅ  Ｖｉｓｉｔｏｒｓ：ＵＶ）、および総所要時間（Ｔｏｔａｌ  Ｔｉｍｅ  Ｓｐｅｎｔ：ＴＴＳ）などの有線ウェブと同じトラフィック測定資料であってもよい。
【０００６】
２）アプリケーション別トラフィックとは、モバイル端末にインストール（ｉｎｓｔａｌｌ）された１つ以上のアプリケーションごとのトラフィックを意味する。
【０００７】
３）ウェブ検索ＱＣとは、モバイル端末にインストールされたウェブブラウザを介した検索に対するＱＣである。
【０００８】
４）アプリケーション検索ＱＣとは、モバイル端末にインストールされたアプリケーションを介した検索に対するＱＣである。アプリケーション検索ＱＣは、モバイル端末にインストールされた１つ以上のアプリケーションのすべてに対する検索ＱＣであってもよく、上述した１つ以上のアプリケーションのそれぞれに対する検索ＱＣであってもよい。
【０００９】
５）開始ページは、モバイル端末のオペレーティングシステムまたはウェブブラウザが使用する開始ページを示す。
【００１０】
モバイルトラフィック測定を利用することで多様な測定指標を算出することができる。
【００１１】
一般的には、モバイルネットワークの測定指標として有線ネットワークの測定指標が使用される。
【００１２】
有線ネットワークの測定指標の代表的なものとしては、ＵＶ、ＰＶ、ＴＴＳ、開始ページ設定率、検索ＱＣ、アプリケーション総使用時間、アプリケーションユニークユーザ（Ｕｎｉｑｕｅ  Ｕｓｅｒ：ＵＵ）などがある。
【００１３】
また、頻度（ｆｒｅｑｕｅｎｃｙ）（特定期間内の平均訪問回数）、訪問（ｖｉｓｉｔ）（固有しない訪問の総数）、持続時間（ｄｕｒａｔｉｏｎ  ｔｉｍｅ）（平均滞在時間）、流入／流出、人口学（ｄｅｍｏｇｒａｐｈｉｃ）データ、ログイン（ｌｏｇｉｎ）ユーザ数、到達率（ｒｅａｃｈ  ｒａｔｅ）、および保持率（ｒｅｔｅｎｔｉｏｎ  ｒａｔｅ）などが有線ネットワークの詳細な測定指標として含まれる。
【００１４】
このような測定指標は、特定パネルによって発生したモバイルトラフィックを測定することによって算出される。
【００１５】
また、モバイルトラフィックを算出するために、人口比例などの統計的方法を利用して上述したパネルのなかから代表パネルが選択され、選択された代表パネルによって発生したモバイルトラフィックに基づいて測定指標が算出されてもよい。
【００１６】
算出された測定指標は、市場の定義によって占有率に換算される。換算された占有率により、特定主体の市場における位置を把握することができる。
【発明の概要】
【発明が解決しようとする課題】
【００１７】
本発明の一実施形態は、ＶＰＮサーバまたはプロキシサーバを通じて受信されたモバイル端末のパケット内容に基づき、前記モバイル端末に接続したモバイルネットワークのトラフィックを測定する装置および方法を提供することを目的とする。
【００１８】
本発明の一実施形態は、測定されたモバイルネットワークのトラフィックに基づいて測定指標を算出する装置および方法を提供することを目的とする。
【００１９】
本発明の一実施形態は、端末によって収集された端末測定情報を追加的に使用することによってモバイルネットワークのトラフィックを測定する装置および方法を提供することを目的とする。
【００２０】
本発明の一実施形態は、モバイル端末で作動するアプリケーションおよびウェブブラウザを区分することなく、一貫した測定方法を通じてモバイルトラフィックを測定する装置および方法を提供することを目的とする。
【００２１】
本発明の一実施形態は、マルチタスキングの支援が不可能であるか部分的にしか支援できないモバイル端末によって生成されたモバイルトラフィックを測定する装置および方法を提供することを目的とする。
【課題を解決するための手段】
【００２２】
本発明の一実施形態によれば、サーバがモバイルネットワークのトラフィックを測定する方法であって、モバイル端末からパケットを受信するステップ（モバイル端末は、仮想プライベートネットワークを通じて通信するように設定される）、パケットに基づいてモバイル端末に対するネットワークトラフィックを測定するステップ、および測定されたネットワークトラフィックに基づいて１つ以上の測定指標を生成するステップを含み、サーバは、モバイル端末から受信した要請を前記要請が示す対象に伝達し、前記対象から受信した前記要請に対する応答をモバイル端末に伝達する、モバイルネットワークのトラフィックを測定する方法が提供される。
【００２３】
サーバは、仮想プライベートネットワークを提供するサーバであってもよい。
【００２４】
モバイル端末は、仮想プライベートネットワークを通じて通信するように設定されてもよい。
【００２５】
モバイルネットワークのトラフィックを測定する方法は、モバイル端末に仮想プライベートネットワーク上のＩＰアドレスを付与するステップをさらに含んでもよい。
【００２６】
モバイルネットワークのトラフィックを測定する方法は、モバイル端末から仮想プライベートネットワークを使用するために求められる認証の要請を受信するステップ、およびモバイル端末またはモバイル端末のユーザに認証を付与するステップをさらに含んでもよい。
【００２７】
サーバは、プロキシサーバであってもよい。
【００２８】
モバイル端末は、プロキシサーバが提供するプロキシサービスを通じて通信するように設定されてもよい。
【００２９】
パケットは、モバイル端末にインストールされた１つ以上のアプリケーションによって生成されてもよい。
【００３０】
パケットに基づいてモバイル端末に対するネットワークトラフィックを測定するステップは、パケットのヘッダを分析するステップ、および前記分析に基づいて特定条件を満たすパケットをカウントすることによってネットワークトラフィックを測定するステップを含んでもよい。
【００３１】
特定条件を満たすパケットは、特定のＵＲＬパターンに対応するパケットであってもよい。
【００３２】
特定条件は１つ以上の条件であってもよく、前記分析に基づいて特定条件を満たすパケットをカウントすることによってネットワークトラフィックを測定するステップは、１つ以上の条件それぞれに対して対応するパケットをカウントすることにより、１つ以上の条件それぞれに対するネットワークトラフィックを測定してもよい。
【００３３】
特定のＵＲＬパターンは１つ以上のＵＲＬパターンであってもよく、前記分析に基づいて特定のＵＲＬパターンに対応するパケットをカウントすることによってネットワークトラフィックを測定するステップは、１つ以上のＵＲＬパターンそれぞれに対して対応するパケットをカウントすることにより、１つ以上のＵＲＬパターンそれぞれに対するネットワークトラフィックを測定してもよい。
【００３４】
パケットに基づいてモバイル端末に対するネットワークトラフィックを測定するステップは、モバイル端末に付与された仮想プライベートネットワーク上のＩＰアドレス、モバイル端末のユーザに付与された仮想プライベートネットワーク上のユーザ識別子、パケットを生成したモバイル端末内のアプリケーション、モバイル端末のオペレーティングシステム、およびパケットのタイムスタンプのうちの１つ以上の情報を抽出するステップをさらに含んでもよく、前記分析に基づいて特定のＵＲＬパターンに対応するパケットをカウントすることによってネットワークトラフィックを測定するステップは、１つ以上の情報に基づいてネットワークトラフィックを測定してもよい。
【００３５】
パケットに基づいてモバイル端末に対するネットワークトラフィックを測定するステップは、モバイル端末に付与された仮想プライベートネットワーク上のＩＰアドレス、モバイル端末のユーザに付与された仮想プライベートネットワーク上のユーザ識別子、パケットを生成したモバイル端末内のアプリケーション、モバイル端末のオペレーティングシステム、およびパケットのタイムスタンプのうちの１つ以上の情報を抽出するステップをさらに含んでもよく、前記分析に基づいて特定のＵＲＬパターンに対応するパケットをカウントすることによってネットワークトラフィックを測定するステップは、１つ以上の情報に応じてネットワークトラフィックを分類して測定してもよい。
【００３６】
１つ以上の測定指標は、検索クエリカウント（Ｑｕｅｒｙ  Ｃｏｕｎｔ：ＱＣ）を含んでもよい。
【００３７】
モバイルネットワークのトラフィックを測定する方法は、モバイル端末からモバイル端末によって収集された測定情報を受信するステップをさらに含んでもよく、パケットに基づいてモバイル端末に対するネットワークトラフィックを測定するステップは、モバイル端末によって収集された測定情報を追加的に使用することによってネットワークトラフィックを測定してもよい。
【００３８】
モバイル端末によって収集された測定情報は、メータ測定方式によって収集されたメータ測定情報であってもよい。
【００３９】
本発明の他の実施形態によれば、モバイルネットワークトラフィック測定サーバであって、モバイル端末からパケットを受信する受信部、パケットに基づいてモバイル端末に対するネットワークトラフィックを測定するネットワークトラフィック測定部、および測定されたネットワークトラフィックに基づいて１つ以上の測定指標を生成する測定指標生成部を含み、前記サーバは、モバイル端末から受信した要請を前記要請が示す対象に伝達し、前記対象から受信した前記要請に対する応答をモバイル端末に伝達する、モバイルネットワークトラフィック測定サーバが提供される。
【００４０】
モバイルネットワークトラフィック測定サーバは、仮想プライベートネットワークを提供してもよい。
【００４１】
モバイル端末は、仮想プライベートネットワークを通じて通信するように設定されてもよい。
【００４２】
モバイルネットワークトラフィック測定サーバは、モバイル端末に仮想プライベートネットワーク上のＩＰアドレスを付与するネットワーク設定部をさらに含んでもよい。
【００４３】
受信部は、モバイル端末から仮想プライベートネットワークを使用するために求められる認証の要請を受信してもよく、モバイルネットワークトラフィック測定サーバは、モバイル端末またはモバイル端末のユーザに認証を付与する認証部をさらに含んでもよい。
【００４４】
モバイルネットワークトラフィック測定サーバは、プロキシサーバであってもよい。
【００４５】
モバイル端末は、プロキシサーバが提供するプロキシサービスを通じて通信するように設定されてもよい。
【００４６】
パケットは、モバイル端末にインストールされた１つ以上のアプリケーションによって生成されてもよい。
【００４７】
ネットワークトラフィック測定部は、パケットのヘッダを分析し、前記分析に基づいて特定条件を満たすパケットをカウントすることによってネットワークトラフィックを測定してもよい。
【００４８】
ネットワークトラフィック測定部は、１つ以上の条件それぞれに対して対応するパケットをカウントすることにより、１つ以上の条件それぞれに対するネットワークトラフィックを測定してもよい。
【００４９】
特定のＵＲＬパターンは１つ以上のＵＲＬパターンであってもよく、ネットワークトラフィック測定部は、１つ以上のＵＲＬパターンそれぞれに対して対応するパケットをカウントすることにより、１つ以上のＵＲＬパターンそれぞれに対するネットワークトラフィックを測定してもよい。
【００５０】
ネットワークトラフィック測定部は、モバイル端末に付与された仮想プライベートネットワーク上のＩＰアドレス、モバイル端末のユーザに付与された仮想プライベートネットワーク上のユーザ識別子、パケットを生成したモバイル端末内のアプリケーション、モバイル端末のオペレーティングシステム、およびパケットのタイムスタンプのうちの１つ以上の情報を抽出してもよく、１つ以上の情報に基づいてネットワークトラフィックを測定してもよい。
【００５１】
ネットワークトラフィック測定部は、モバイル端末に付与された仮想プライベートネットワーク上のＩＰアドレス、モバイル端末のユーザに付与された仮想プライベートネットワーク上のユーザ識別子、パケットを生成したモバイル端末内のアプリケーション、モバイル端末のオペレーティングシステム、およびパケットのタイムスタンプのうちの１つ以上の情報を抽出してもよく、前記１つ以上の情報に応じてネットワークトラフィックを分類して測定してもよい。
【００５２】
１つ以上の測定指標は、検索クエリカウント（Ｑｕｅｒｙ  Ｃｏｕｎｔ：ＱＣ）を含んでもよい。
【００５３】
受信部は、モバイル端末からモバイル端末によって収集された測定情報を受信してもよく、ネットワークトラフィック測定部は、モバイル端末によって収集された測定情報を追加的に使用することによってネットワークトラフィックを測定してもよい。
【００５４】
モバイル端末によって収集された測定情報は、メータ測定方式によって収集されたメータ測定情報であってもよい。
【発明の効果】
【００５５】
ＶＰＮサーバまたはプロキシサーバを通じて受信されたモバイル端末のパケット内容に基づき、モバイル端末に接続したモバイルネットワークのトラフィックを測定する装置および方法を提供することができる。
【００５６】
測定されたモバイルネットワークのトラフィックに基づいて測定指標を算出する装置および方法を提供することができる。
【００５７】
端末によって収集された端末測定情報を追加的に使用することによってモバイルネットワークのトラフィックを測定する装置および方法を提供することができる。
【００５８】
モバイル端末で作動するアプリケーションおよびウェブブラウザを区分することなく、一貫した測定方法を通じてモバイルトラフィックを測定する装置および方法を提供することができる。
【００５９】
マルチタスキングの支援が不可能であるか部分的にしか支援できないモバイル端末によって生成されたモバイルトラフィックを測定する装置および方法を提供することができる。
【図面の簡単な説明】
【００６０】
【図１】本発明の一実施形態におけるモバイルトラフィックの測定技術を比較した表である。
【図２】本発明の一実施形態におけるＶＰＮ方式およびメータ方式を詳しく比較した表である。
【図３】本発明の一実施形態におけるＶＰＮを説明した図である。
【図４】本発明の一実施形態におけるプロキシサービスを説明した図である。
【図５】本発明の一実施形態におけるモバイルネットワークのトラフィックを測定する方法を示したフローチャートである。
【図６】本発明の一実施形態におけるモバイルネットワークトラフィック測定サーバの構造図である。
【図７】本発明の一実施形態におけるＶＰＮ方式によって得られたデータを示した図である。
【発明を実施するための形態】
【００６１】
以下、本発明の一実施形態について、添付の図面を参照しながら詳細に説明する。しかし、本発明が実施形態によって制限されたり限定されたりするものではない。各図面に示された同じ参照符号は同じ部材を示す。
【００６２】
本発明の実施形態および実施例において、用語「トラフィック」は「使用量」に代替されてもよい。
【００６３】
また、測定指標とは、インターネットに対する測定指標を意味してもよい。したがって、「測定指標」は、「インターネット指標」または「インターネット測定指標」に代替されてもよい。
【００６４】
モバイル端末とは、無線ネットワークを通じて情報をやり取りする装置を意味してもよい。
【００６５】
無線ネットワークは、例えば、第３世代（Ｇｅｎｅｒａｔｉｏｎ：Ｇ）移動通信網、第４世代移動通信網、ワイブロ（ＷＩＢＲＯ）、および無線ワイファイ（ｗｉｆｉ）などを含んでもよい。
【００６６】
モバイル端末は、スマートフォン（ｓｍａｒｔ  ｐｈｏｎｅ）、ネットワーク環境を設定することができるフィーチャフォン（ｆｅａｔｕｒｅ  ｐｈｏｎｅ）、無線通信が可能なポータブルコンピュータ（ｐｏｒｔａｂｌｅ  ｃｏｍｐｕｔｅｒ）、および無線通信が可能なタブレット（ｔａｂｌｅｔ）などを含んでもよい。
【００６７】
モバイル端末は、イーサネット（登録商標）（ｅｔｈｅｒｎｅｔ）およびユニバーサルシリアルバス（Ｕｎｉｖｅｒｓａｌ  Ｓｅｒｉａｌ  Ｂｕｓ）などのような有線ネットワークを通じて情報をやり取りしてもよい。
【００６８】
また、「アプリケーション」とは、モバイル端末で作動する無線ネットワークを通じて情報をやり取りするプログラムを意味する。例えば、アプリケーションは、ウェブブラウザ（ｗｅｂ  ｂｒｏｗｓｅｒ）、アプリケーション（ａｐｐ）、およびモバイル端末用プログラム（ｐｒｏｇｒａｍ）を含む。また、アプリケーションとは、モバイル端末のオペレーティングシステム（ｏｐｅｒａｔｉｎｇ  ｓｙｓｔｅｍ：ＯＳ）の構成要素の一部を意味するものでもよい。
【００６９】
上述したように、一般的に、有線ネットワークに対する測定指標がモバイルネットワークの測定指標として使用されてもよく、モバイルネットワーク特有の測定指標が算出されてもよい。
【００７０】
例えば、アプリケーションの駆動回数およびアプリケーション内で駆動されるウェブ画面における個別のサイト別の利用トラフィック（例えば、総使用時間、ＵＵ、ＰＶ、ＱＣなどの指標）など、多様なモバイルネットワークの測定指標が使用されてもよい。
【００７１】
また、モバイルネットワークのためのアプリケーションの特性上、アプリケーションがインターネットに接続していない状態で内蔵された機能のみを使用する場合の使用量（例えば、使用時間）も、モバイルネットワークの測定指標に含まれてもよい。モバイル端末がどのようなモバイルネットワークを使用するのかに関しても、モバイルネットワークの測定指標になり得る。
【００７２】
図１は、本発明の一実施形態におけるモバイルトラフィック測定技術を比較した表である。
【００７３】
図１において、仮想プライベートネットワーク（Ｖｉｒｔｕａｌ  Ｐｒｉｖａｔｅ  Ｎｅｔｗｏｒｋ：ＶＰＮ）方式１１０、メータ（ｍｅｔｅｒ）方式１２０、通信社提携方式１３０、およびアンケート方式１４０それぞれに対し、トラフィックデータの種類によるモバイルネットワークのトラフィック測定の可能性が示されている。
【００７４】
トラフィックデータに対して表示された記号のうち、「○」は測定が可能であることを示している。すなわち、ＶＰＮ方式１１０に対してウェブ一般指標に「○」が表示されているが、これはＶＰＮ方式１１０を利用してウェブ一般指標が測定可能であることを意味している。記号「Ｘ」は、測定が困難であるか不可能であることを示している。記号「△」は、一部の測定は可能であるが一部の測定は困難であるか不可能であることを示している。
【００７５】
下記では、測定指標を算出するための、ＶＰＮ方式１１０、メータ方式１２０、通信社提携方式１３０、およびアンケート方式１４０についてそれぞれ検討する。
【００７６】
ＶＰＮ方式１１０とは、ＶＰＮを通じて送信されるパケットに基づいてネットワークトラフィックを測定する方式である。
【００７７】
一般的に、ＶＰＮは、モバイルネットワークのトラフィックを測定する主体（以下、測定主体とする）によって構築されてもよい。
【００７８】
測定主体は、一定数のパネルをＶＰＮネットワークのユーザとして加入させてもよい。加入したユーザそれぞれにＶＰＮネットワークのＩＰ（ｉｎｔｅｒｎｅｔ  ｐｒｏｔｏｃｏｌ）アドレスがマッピングされてもよい。
【００７９】
測定主体は、パネルそれぞれから送信されたパケット（すなわち、パネルそれぞれが使用する端末から送信されたパケット）に基づいてパネルそれぞれの使用内訳を抽出してもよい。
【００８０】
このように抽出された使用内訳に基づいて測定指標が算出されてもよい。また、測定指標は、パネルそれぞれの使用内訳に人口比例拡大係数を適用することによって算出されてもよい。一般的に、ＶＰＮ方式１１０では、データ種類のうち、ウェブ一般指標、ウェブ検索ＱＣ、アプリケーション検索ＱＣ、および開始ページを測定することができ、アプリケーション別トラフィックを部分的に測定することができる。
【００８１】
すなわち、ＶＰＮ方式１１０は、接続したアプリケーション（ｃｏｎｎｅｃｔ  ａｐｐｌｉｃａｔｉｏｎ）に対してはトラフィックを確認することができるが、ネットワークを利用しない独立したもの（ｓｔａｎｄ−ａｌｏｎｅ）に対する測定指標の算出には適しておらず、測定指標を算出することができない。
【００８２】
プロキシ方式とは、プロキシサーバを通じて送信されるパケットに基づいてネットワークトラフィックを測定する方式である。プロキシサーバは、測定主体によって構築されてもよい。
【００８３】
ＶＰＮ方式１１０において、ＶＰＮサービスを提供するＶＰＮサーバは、パネルの端末から要請を受信し、受信した要請を外部サーバに伝達してもよい。要請が伝達された外部サーバは要請に対する応答をＶＰＮサーバに送信してもよく、応答を受信したＶＰＮサーバは前記応答をパネルの端末に伝達してもよい。ここで、外部サーバとは、前記要請を処理することができる対象または前記要請が示す対象を意味してもよい。対象とは、ネットワーク上の個体（ｅｎｔｉｔｙ）を意味してもよい。
【００８４】
プロキシ（ｐｒｏｘｙ）サービスを提供するプロキシサーバは、ＶＰＮサーバと類似する機能をパネルおよびパネルの端末に提供してもよい。プロキシサーバはパネルの端末から要請を受信し、受信した要請を外部サーバに伝達してもよい。要請が伝達された外部サーバは要請に対する応答をプロキシサーバに送信してもよく、応答を受信したプロキシサーバは前記応答をパネルの端末に伝達してもよい。
【００８５】
ＶＰＮサーバおよびプロキシサーバは、１）端末の要請を外部サーバに伝達し、２）前記要請に対する外部サーバの応答を端末に伝達する。端末がネットワークを通じて送信したり、ネットワークを通じて端末に送信されたりするデータが通過するという点において、ＶＰＮサーバおよびプロキシサーバは共通する特徴を有していると言える。ＶＰＮサーバと同じようにプロキシサーバも、プロキシサーバを通じて送信されるパケットに基づいて端末のネットワークトラフィックを測定してもよい。
【００８６】
したがって、上述したＶＰＮ方式１１０についての説明は、プロキシ方式にも適用される。
【００８７】
メータ方式１２０とは、モバイル端末で作動する計量器によって記録されたユーザの使用内訳（すなわち、活動）に基づいてネットワークトラフィックを測定する方式である。
【００８８】
メータ方式１２０では計量器が使用されてもよい。計量器は、モバイル端末の使用形態（例えば、ネットワークを通じた情報の送受信内訳）をモニタリング（ｍｏｎｉｔｏｒｉｎｇ）するアプリケーションである。
【００８９】
メータ方式１２０を使用するため、測定主体によって集められた一定数のパネルは、自身のモバイル端末に計量器をインストールしてもよい。モバイル端末は、ネットワークを通じて計量器をダウンロードしてもよい。
【００９０】
メータ方式１２０を使用するため、モバイル端末内にインストールされた基本ウェブブラウザは、ウェブの呼び出しおよび移動の際に計量器にＵＲＬを記録するように設定されてもよい。すなわち、計量器は、モバイル端末のユーザの使用内訳を記録してもよい。
【００９１】
計量器は、モバイル端末のオペレーティングシステムなどによって基本的に提供されるアプリケーションプログラミングインターフェース（Ａｐｐｌｉｃａｔｉｏｎ  Ｐｒｏｇｒａｍｍｉｎｇ  Ｉｎｔｅｒｆａｃｅ：ＡＰＩ）（以下、基本提供ＡＰＩとする）を参照し、基本ウェブブラウザの統一資源位置指定子（Ｕｎｉｆｏｒｍ  Ｒｅｓｏｕｒｃｅ  Ｌｏｃａｔｏｒ：ＵＲＬ）を呼び出して変更事項を確認してもよい。
【００９２】
計量器は、このような呼び出しおよび確認などに基づいてウェブに関する測定指標を測定してもよい。
【００９３】
また、計量器は、メモリの現況（すなわち、何がメモリを占有しているかに関する現況）を常駐プログラムによってモニタリングし、アプリケーションが実行されているか否かを確認してもよい。すなわち、計量器は、モバイル端末のメモリをチェックすることによってアプリケーション実行の可否を把握してもよく、アプリケーションに関する測定指標を測定してもよい。
【００９４】
一般的に、計量器は、モバイル端末においてバックグラウンド（ｂａｃｋｇｒｏｕｎｄ）で実行されてもよい。計量器がバックグラウンドで実行されるのは、実際にネットワークを通じて情報を送受信する他のアプリケーションがフォアグラウンド（ｆｏｒｅｇｒｏｕｎｄ）で実行されるためである。
【００９５】
したがって、マルチタスキングの支援が不可能であるかマルチタスキングを部分的にしか支援できないオペレーティングシステムを使用するモバイル端末は、メータ方式１２０を基本的に使用することができない。
【００９６】
モバイル端末（または、計量器）は、記録されたユーザ（すなわち、パネルのなかのモバイル端末のユーザ）の使用内訳を測定主体のサーバなどに送信してもよい。
【００９７】
測定主体は、送信された使用内訳に基づいて測定指標を算出してもよい。また、測定主体は、パネルそれぞれの使用内訳に人口比例拡大係数を適用することによって測定指標を算出してもよい。
【００９８】
一般的に、メータ方式１２０は、データ種類のうち、ウェブ一般指標、ウェブ検索ＱＣ、および開始ページを測定することができ、アプリケーション別トラフィックを部分的に測定することができる。また、メータ方式１２０は、アプリケーション検索ＱＣの測定には適しておらず、アプリケーション検索ＱＣを測定することはできない。
【００９９】
すなわち、メータ方式１２０が使用される場合、アプリケーション別には使用時間および接続回数のような一部の測定指標のみがチェックされるようになる。
【０１００】
通信社提携方式１３０とは、通信社との提携を通じて個別の通信社のユーザの使用内訳（すなわち、個別通信社のネットワーク利用内訳）が提供され、提供された使用内訳に基づいてネットワークトラフィックを測定する方式である。前記の使用内訳は全数データであってもよい。
【０１０１】
通信社提携方式１３０を使用するためには、測定主体と通信社との間の提携が先決となる。したがって、ネットワークトラフィックの測定に対する通信社の提携ニーズ（ｎｅｅｄｓ）が求められる。
【０１０２】
一般的に、通信社提携方式１３０は、データ種類のうち、ウェブ一般指標、ウェブ検索ＱＣ、アプリケーション検索ＱＣ、および開始ページを測定することができ、アプリケーション別トラフィックを部分的に測定することができる。
【０１０３】
アンケート方式１４０とは、使用行動を質問するアンケートを利用してモバイルネットワークのユーザから自身の記憶による応答を得た後、得られた応答に基づいて測定指標を算出する方式である。
【０１０４】
アンケート方式１４０を使用する場合、すべてのデータ種類を測定することができる。しかし、アンケート方式１４０の特性上、得られた応答は正確性において限界がある。したがって、アンケート方式１４０によって測定されたデータ種類は、他の方式によって測定されたデータ種類に比べて正確性が乏しいと言える。
【０１０５】
図２は、本発明の一実施形態におけるＶＰＮ方式およびメータ方式を詳しく比較した表である。
【０１０６】
まず、ＶＰＮ方式１１０の特徴について具体的に詳察する。
【０１０７】
ＶＰＮ方式１１０は、測定対象がウェブである場合、使用されるウェブブラウザに対して制限されることなく、すべての測定指標に対する測定が可能である。
【０１０８】
測定対象がアプリケーションである場合、ＶＰＮ方式１１０は、大部分の測定指標を測定することができる。ただし、ＶＰＮ方式１１０の測定対象は、接続されているアプリケーションに制限されてもよい。ＶＰＮ方式１１０は、検索アプリケーションＱＣ総量を測定することができる。ネットワークを通じたＵＲＬのうち、検索アプリケーションのコードを有するＱＣＵＲＬを事前に指定することにより、該当するＵＲＬの総量をチェックすることができる。
【０１０９】
メータ方式１２０は、測定対象がウェブである場合、ＵＲＬチェックＡＰＩを利用するウェブブラウザが使用される場合にのみ、ウェブに関する測定指標を測定することができる。すなわち、ＵＲＬチェックＡＰＩを利用するブラウザが使用される場合、メータ方式１２０は、ウェブに関する測定指標を測定することができない。このようなＵＲＬチェックＡＰＩは、一般的にオペレーティングシステムなどによって提供されてもよい。
【０１１０】
次に、メータ方式１２０の特徴について具体的に詳察する。
【０１１１】
メータ方式１２０は、測定対象がアプリケーションである場合、通信状態（すなわち、接続しているか否か）とは関係なく、メモリ常駐状態で測定指標を測定することができる。
【０１１２】
メータ方式１２０が使用される場合、常駐プログラム（すなわち、計量器）により、アプリケーション別ユニークユーザ、アプリケーション別総使用時間、アプリケーション別駆動回数、およびアプリケーション別アクティブユーザなどを測定することができる。
【０１１３】
メータ方式１２０は、アプリケーション別ＰＶおよび検索アプリケーションＱＣ総量を測定することはできない。
【０１１４】
上述したように、メータ方式１２０は、ＵＲＬチェックＡＰＩを利用するウェブブラウザに対してのみ測定指標を測定することができる。したがって、基本的に提供されるＵＲＬチェックＡＰＩではなく、その他のＡＰＩを利用するアプリケーション内におけるＵＲＬ情報は、メータ方式１２０によって測定することができない。
【０１１５】
したがって、ＶＰＮ方式１１０およびメータ方式１２０の長所及び短所は、下記のように整理することができる。
【０１１６】
ＶＰＮ方式１１０が使用される場合、モバイルトラフィック測定のためのデータは、ＶＰＮサーバなどによって得ることができる。したがって、個別のモバイル端末の限界を克服することができる。例えば、マルチタスキングの支援が不可能であるか部分的にしか支援できないオペレーティングシステムを使用するモバイル端末によって生成されたトラフィックに対しても、モバイルトラフィック測定のためのデータを収集することができる。
【０１１７】
また、ＶＰＮ方式１１０は、モバイル端末で作動するアプリケーションおよびウェブブラウザを区分することなく、一貫した測定方法を介してモバイルトラフィックを測定することができる。
【０１１８】
ＶＰＮ方式１１０は、アプリケーションで使用したＵＲＬも確認することができる。したがって、検索ＱＣおよびすべてのサービスのＰＶ指標も算出することができる。特に、モバイル環境（すなわち、モバイル端末）では、一般的に有線環境（すなわち、ＰＣなど有線で作動する端末）に比べてアプリケーションを介した検索比重が高いことが知られている。
【０１１９】
モバイルトラフィック測定の特性上、アプリケーション別ＰＶおよび検索アプリケーションＱＣ総量は、全体測定指標内において大きな比重を占めている。したがって、アプリケーション別ＰＶおよび検索アプリケーションＱＣ総量を測定することができるＶＰＮ方式１１０は、メータ方式１２０に比べて優越性が認められる。
【０１２０】
また、メータ方式１２０を使用するためには、常に２つのプログラム（すなわち、実際の情報を送受信するアプリケーションおよび計量器）が実行されなければならない。この反面、ＶＰＮ方式１１０では、モバイル端末内でのＶＰＮ設定だけが求められる。したがって、ＶＰＮ方式１１０を使用する場合には、モバイル端末に加えられる負担（ｌｏａｄ）が少なくなる。
【０１２１】
モバイル端末のネットワーク帯域（ｂａｎｄｗｉｄｔｈ）の使用量の側面について検討する。モバイル端末がＶＰＮを使用するように設定されても、モバイル端末が情報を送信する対象（すなわち、ＶＰＮサーバ）が変更されるだけで、モバイル端末が送信する情報の量自体は大きく変わらない。
【０１２２】
したがって、ＶＰＮ方式１１０が使用されても、ユーザが追加的に通信料金を負担しなくてもよい。この反面、メータ方式１２０が使用される場合、モバイル端末内で生成されたトラフィック測定のための情報が、統計のために外部サーバなどに送信されなければならない。また、メータ方式１２０が使用されることにより、追加の通信費用が発生する場合がある。
【０１２３】
図１を参照しながら上述したように、上述したＶＰＮ方式１１０についての説明は、プロキシ方式にも適用される。
【０１２４】
図３は、本発明の一実施形態に係おけＶＰＮについて説明する。
【０１２５】
ＶＰＮは、概略的に、モバイル端末３１０、ＶＰＮサーバ３２０、および外部サーバ３３０で構成されてもよい。
【０１２６】
モバイル端末３１０は、上述した無線ネットワークまたは有線ネットワークを通じてインターネットに接続する。モバイル端末３１０は、インターネットを通じて外部サーバ３３０と情報をやり取りしてもよい。
【０１２７】
外部サーバ３３０は、検索サイト（ｓｉｔｅ）のウェブサーバのように、モバイル端末３１０およびパーソナルコンピュータ（Ｐｅｒｓｏｎａｌ  Ｃｏｍｐｕｔｅｒ：ＰＣ）に特定のサービスを提供するウェブサーバであってもよい。
【０１２８】
モバイル端末３１０がＶＰＮを使用しない場合（すなわち、モバイル端末３１０にＶＰＮが設定されていない場合）、モバイル端末３１０は、インターネットを通じて外部サーバ３３０に直接アクセスしてデータをやり取りしてもよい。
【０１２９】
この反面、モバイル端末３１０がＶＰＮを使用する場合（すなわち、ユーザなどによってＶＰＮサーバ３２０によって提供されるＶＰＮを使用するようにモバイル端末３１０が設定された場合）、モバイル端末がインターネットを通じて外部サーバ３３０とやり取りする情報は、ＶＰＮサーバ３２０を経由してもよい。
【０１３０】
すなわち、モバイル端末３１０が外部サーバ３３０に送信しなければならない情報は、まずモバイル端末３１０からＶＰＮサーバ３２０に送信され、次にＶＰＮサーバ３２０が受信した情報を外部サーバ３３０に伝達してもよい。また、外部サーバ３３０がモバイル端末３１０に送信しなければならない情報は、まず外部サーバ３３０からＶＰＮサーバ３２０に送信されてもよく、次にＶＰＮサーバ３２０が送信された情報をモバイル端末３１０に伝達してもよい。
【０１３１】
モバイル端末３１０および外部サーバ３３０の間で送受信される情報は、パケット形態で送信されてもよい。ＶＰＮサーバ３２０は、上述した伝達過程において、モバイル端末３１０および外部サーバ３３０の間に送受信されるパケットをモニタリングしてもよい。
【０１３２】
前記パケットはＴＣＰ／ＩＰパケットであってもよく、ＶＰＮサーバ３２０は、ＴＣＰ／ＩＰパケットのヘッダ（ｈｅａｄｅｒ）のＵＲＬおよびエージェント（ａｇｅｎｔ）情報をモニタリングしてもよい。
【０１３３】
図４は、本発明の一実施形態におけるプロキシサービスについて説明する。
【０１３４】
プロキシサービスは、概略的に、モバイル端末３１０、プロキシサーバ４２０、および外部サーバ３３０によって提供されてもよい。
【０１３５】
モバイル端末３１０は、上述した無線ネットワークまたは有線ネットワークを通じてインターネットに連結する。モバイル端末３１０は、インターネットを通じて外部サーバ３３０と情報をやり取りしてもよい。
【０１３６】
外部サーバ３３０は、検索サイトのウェブサーバのように、モバイル端末３１０およびパーソナルコンピュータに特定のサービスを提供するウェブサーバであってもよい。
【０１３７】
モバイル端末３１０がプロキシサービスを使用しない場合（すなわち、モバイル端末３１０にプロキシサービスが設定されていない場合、またはモバイル端末３１０がプロキシサーバ４２０を使用しない場合）、モバイル端末３１０は、インターネットを通じて外部サーバ３３０に直接アクセスしてデータをやり取りしてもよい。
【０１３８】
この反面、モバイル端末３１０がプロキシサービスを使用する場合（すなわち、ユーザなどによってプロキシサーバ４２０によって提供されるプロキシサービスを使用するようにモバイル端末３１０が設定された場合）、モバイル端末がインターネットを通じて外部サーバ３３０とやり取りする情報は、プロキシサーバ４２０を経由してもよい。
【０１３９】
すなわち、モバイル端末３１０が外部サーバ３３０に送信しなければならない情報は、まずモバイル端末３１０からプロキシサーバ４２０に送信され、次にプロキシサーバ４２０が受信した情報を外部サーバ３３０に伝達してもよい。また、外部サーバ３３０がモバイル端末３１０に送信しなければならない情報は、まず外部サーバ３３０からプロキシサーバ４２０に送信されてもよく、次にプロキシサーバ４２０が受信した情報をモバイル端末３１０に伝達してもよい。
【０１４０】
モバイル端末３１０および外部サーバ３３０の間で送受信される情報は、パケット形態で送信されてもよい。プロキシサーバ４２０は、上述した伝達過程において、モバイル端末３１０および外部サーバ３３０の間で送受信されるパケットをモニタリングしてもよい。
【０１４１】
前記パケットはＴＣＰ／ＩＰパケットであってもよく、プロキシサーバ４２０は、ＴＣＰ／ＩＰパケットのヘッダ（ｈｅａｄｅｒ）のＵＲＬおよびエージェント（ａｇｅｎｔ）情報をモニタリングしてもよい。
【０１４２】
図５は、本発明の一実施形態におけるモバイルネットワークのトラフィックを測定する方法のフローチャートである。
【０１４３】
本実施形態は、ＶＰＮサーバ３２０、ＶＰＮサーバ３２０と連動した他のサーバ、またはプロキシサーバ４２０によって実行されてもよい。すなわち、本実施形態は、ＶＰＮサーバ３２０またはプロキシサーバ４２０がモバイルネットワークのトラフィックを測定する方法であってもよい。
【０１４４】
モバイル端末３１０は、ＶＰＮまたはプロキシサーバ４２０を通じて通信するように設定されてもよい。
【０１４５】
ステップ（５１０および５２０）で、モバイル端末３１０に対する認証が実行されてもよい。
【０１４６】
ステップ５１０で、モバイル端末３１０からＶＰＮまたはプロキシサーバ４２０を使用するために求められる認証の要請が受信されてもよい。前記要請は、モバイル端末３１０および／またはモバイル端末３１０のユーザを識別するための識別情報（例えば、ＩＤおよびパスワード（ｐａｓｓｗｏｒｄ））を含んでもよい。
【０１４７】
ステップ５１５で、前記識別情報を使用して認証が実行されてもよく、認証が成功した場合には、モバイル端末３１０またはモバイル端末３１０のユーザに認証が付与されてもよい。
【０１４８】
ステップ５２０で、モバイル端末３１０にＶＰＮ上のＩＰアドレスが付与されてもよい。
【０１４９】
前記ＩＰアドレスは、予約された（ｒｅｓｅｒｖｅｄ）ＩＰ（すなわち、静的（ｓｔａｔｉｃ）ＩＰまたは固定ＩＰ）であってもよい。
【０１５０】
ステップ５３０で、ネットワークを通じてモバイル端末３１０からパケットが受信されてもよい。前記ネットワークはＶＰＮであってもよい。
【０１５１】
パケットは、モバイル端末３１０にインストールされた１つ以上のアプリケーションによって生成されたものであってもよい。前記アプリケーションは、モバイル端末３１０にインストールされたウェブブラウザ、マーケット（ｍａｒｋｅｔ）などを通じてインストールされたアプリケーション（ａｐｐ）、およびネットワークやメモリカード（ｍｅｍｏｒｙ  ｃａｒｄ）などを通じてインストールされたプログラムなどを含んでもよい。
【０１５２】
ステップ５３５で、モバイル端末３１０からモバイル端末によって収集された測定情報が受信されてもよい。
【０１５３】
例えば、モバイル端末３１０が計量器を実装している場合、モバイル端末３１０はメータ測定方式によってメータ測定情報を収集してもよく、ステップ５３５で、モバイル端末３１０から収集されたメータ測定情報が送信されてもよい。
【０１５４】
ステップ（５４０〜５６０）で、受信されたパケットに基づいてネットワークトラフィックが測定されてもよい。前記ネットワークトラフィックは、モバイル端末３１０に対するネットワークトラフィックであってもよい。
【０１５５】
ステップ５４０で、受信されたパケットのヘッダが分析されてもよい。
【０１５６】
ステップ５４０で分析されるパケットのヘッダは、ＨＴＴＰリクエスト（ｒｅｑｕｅｓｔ）によって伝達されるパケットのヘッダであってもよい。
【０１５７】
ステップ５５０で、前記分析に基づいて受信されたパケット内からトラフィック測定のためのトラフィック測定情報が抽出されてもよい。
【０１５８】
トラフィック測定情報は、モバイル端末３１０に付与されたＶＰＮ上のＩＰアドレス、モバイル端末３１０のユーザに付与されたＶＰＮ上のユーザＩＤ、パケットを生成したモバイル端末３１０内のアプリケーション、モバイル端末３１０のユーザエージェント（すなわち、モバイル端末３１０オペレーティングシステムおよび／またはモバイル端末３１０のブラウザ）、およびパケットのタイムスタンプ（ｔｉｍｅ  ｓｔａｍｐ）のうちの１つ以上の情報を含んでもよい。
【０１５９】
ステップ５６０で、前記分析に基づいて特定条件を満たすパケットをカウント（ｃｏｕｎｔ）することによってネットワークトラフィックが測定されてもよい。
【０１６０】
特定条件とは、パケットが特定の文字列に対応するか否かを意味してもよい。すなわち、特定条件を満たすパケットは、特定の文字列に対応するパケットであってもよい。
【０１６１】
例えば、ステップ５６０で、前記分析に基づいて特定の文字列に対応する（または、特定の文字列を含む）パケットをカウント（ｃｏｕｎｔ）することによってネットワークトラフィックが測定されてもよい。
【０１６２】
また、特定条件とは、パケットが特定のＵＲＬパターン（ｐａｔｔｅｒｎ）に対応するか否かを意味してもよい。すなわち、特定条件を満たすパケットは、特定のＵＲＬパターンに対応するパケットであってもよい。
【０１６３】
例えば、ステップ５６０で、前記分析に基づいて特定のＵＲＬパターンに対応するパケットをカウントすることによってネットワークトラフィックが測定されてもよい。
【０１６４】
ネットワークトラフィックを測定するための文字列または特定のＵＲＬパターンは、任意に指定されてもよい。
【０１６５】
特定条件は１つ以上であってもよい。すなわち、ステップ４６０で、１つ以上の条件それぞれに対して特定条件を満たすパケットをカウントすることにより、１つ以上の条件それぞれに対してネットワークトラフィックが測定されてもよい。
【０１６６】
１つ以上の条件それぞれに対して測定されたネットワークトラフィックを使用することによって条件別にネットワークトラフィックが分析され、測定指標が生成されるようになる。
【０１６７】
また、特定のＵＲＬパターン（または、文字列）は１つ以上であってもよい。すなわち、ステップ５６０で、１つ以上のＵＲＬパターンそれぞれに対して対応するパケットをカウントすることにより、１つ以上のＵＲＬパターンそれぞれに対してネットワークトラフィックが測定されてもよい。
【０１６８】
１つ以上のＵＲＬパターンそれぞれに対して測定されたネットワークトラフィックを使用することによってＵＲＬパターン別にネットワークトラフィックが分析されてもよく、測定指標が生成されてもよい。
【０１６９】
例えば、パケットのＩＰアドレス、ＵＲＬパターン、ユーザエージェント、およびタイムスタンプに基づいてネットワークトラフィックが分析されてもよい。また、パケットのＩＰアドレスの代わりに、ＶＰＮ上のユーザＩＤが使用されてもよい。
【０１７０】
ネットワークトラフィックは、上述したトラフィック測定情報に基づいて測定されてもよい。また、ネットワークトラフィックは、上述したトラフィック測定情報によって分類されて測定されてもよい。例えば、特定のオペレーティングシステムまたはウェブブラウザによって１つ以上のネットワークトラフィックが測定されてもよい。
【０１７１】
ネットワークトラフィックは、モバイル端末３１０によって収集された測定情報を追加的に使用することによって測定されてもよい。
【０１７２】
モバイル端末３１０によって収集された測定情報は、メータ測定方式によって収集されたメータ測定情報であってもよい。すなわち、ネットワークトラフィックを測定するために、ＶＰＮ方式１１０、プロキシ方式、およびメータ方式１２０を混合して使用してもよい。
【０１７３】
ステップ（５５０および５６０）は同時に実行されてもよい。例えば、パケットのＩＰアドレス、ＵＲＬパターン、ユーザエージェント、およびタイムスタンプが同時に抽出されてもよい。
【０１７４】
ステップ５７０で、測定されたネットワークトラフィックに基づいて１つ以上の測定指標が生成される。
【０１７５】
本実施形態において、ＶＰＮ方式１１０またはプロキシ方式が使用されてもよい。したがって、図１を参照しながら上述したように、ステップ５７０で生成される１つ以上の測定指標のうち、検索ＱＣが含まれてもよい。
【０１７６】
測定されたネットワークトラフィックは、多様な形態で提供されてもよい。例えば、測定されたネットワークトラフィックは、ログ（ｌｏｇ）形態で提供されてもよい。
【０１７７】
ネットワークトラフィックがパネル別に測定された場合、測定指標の生成において、パネルに対する人口比例拡張係数が適用されてもよい。１つ以上の人口比例拡張係数を適用するためのロジック（ｌｏｇｉｃ）が定義されてもよく、定義されたロジックによって生成された人口比例拡張係数を適用することによって測定指標が生成されてもよい。
【０１７８】
図１〜図４を参照しながら上述した本発明の一実施形態に係る技術的な内容は、本実施形態にそのまま適用されてもよい。したがって、さらに詳細な説明は以下では省略する。
【０１７９】
図６は、本発明の一実施形態におけるモバイルネットワークトラフィック測定サーバの構造図である。
【０１８０】
モバイルネットワークトラフィック測定サーバ６００は、ＶＰＮサーバ３２０またはプロキシサーバ４２０であってもよく、ＶＰＮサーバ３２０またはプロキシサーバ４２０の機能を含んでもよい。
【０１８１】
モバイルネットワークトラフィック測定サーバ６００は、受信部６１０、ネットワーク設定部６２０、認証部６３０、ネットワークトラフィック測定部６４０、および測定指標生成部６５０を含んでもよい。
【０１８２】
受信部６１０は、ネットワークを通じてモバイル端末３１０からパケットを受信してもよい。前記ネットワークは、ＶＰＮまたはインターネットであってもよい。また、受信部６１０は、モバイル端末３１０からＶＰＮまたはプロキシを使用するために求められる認証の要請を受信してもよい。ここで、モバイル端末３１０は、モバイルネットワークトラフィック測定サーバが提供するプロキシサービスを通じて通信するように設定されてもよい。
【０１８３】
ネットワーク設定部６２０は、モバイル端末３１０にＶＰＮ上のＩＰアドレスを付与してもよい。
【０１８４】
認証部６３０は、モバイル端末３１０またはモバイル端末３１０のユーザに認証を付与してもよい。
【０１８５】
ネットワークトラフィック測定部６４０は、受信したパケットに基づいてネットワークトラフィックを測定してもよい。ネットワークトラフィック測定部６４０は、前記パケットのヘッダを分析し、分析に基づいて特定条件を満たすパケットをカウントすることによってネットワークトラフィックを測定してもよい。
【０１８６】
特定条件を満たすパケットとは、特定のＵＲＬパターンに対応するパケットを意味してもよい。すなわち、ネットワークトラフィック測定部６４０は、パケットのヘッダを分析し、前記分析に基づいて特定のＵＲＬパターンに対応するパケットをカウントすることによってネットワークトラフィックを測定してもよい。
【０１８７】
ネットワークトラフィック測定部６４０は、１つ以上の条件それぞれに対して対応するパケットをカウントすることにより、１つ以上の条件それぞれに対するネットワークトラフィックを測定してもよい。
【０１８８】
また、ネットワークトラフィック測定部６４０は、１つ以上のＵＲＬパターンそれぞれに対して対応するパケットをカウントすることにより、１つ以上のＵＲＬパターンそれぞれに対するネットワークトラフィックを測定してもよい。ネットワークトラフィック測定部６４０は、モバイル端末３１０に付与されたＶＰＮ上のＩＰアドレス、モバイル端末３１０のユーザに付与されたＶＰＮ上のユーザＩＤ、パケットを生成したモバイル端末３１０内のアプリケーション、モバイル端末３１０のオペレーティングシステム、およびパケットのタイムスタンプのうちの１つ以上の情報を抽出し、抽出された１つ以上の情報に基づいてネットワークトラフィックを測定してもよい。
【０１８９】
また、ネットワークトラフィック測定部６４０は、モバイル端末３１０に付与されたＶＰＮ上のＩＰアドレス、モバイル端末３１０のユーザに付与されたＶＰＮ上のユーザＩＤ、パケットを生成したモバイル端末３１０内のアプリケーション、モバイル端末３１０のオペレーティングシステム、およびパケットのタイムスタンプのうちの１つ以上の情報を抽出し、抽出された１つ以上の情報によってネットワークトラフィックを分類して測定してもよい。
【０１９０】
測定指標生成部６５０は、測定されたネットワークトラフィックに基づいて１つ以上の測定指標を生成してもよい。
【０１９１】
受信部６１０は、モバイル端末３１０からモバイル端末３１０によって収集された測定情報を受信してもよい。
【０１９２】
モバイル端末３１０によって収集された測定情報は、メータ測定方式によって収集されたメータ測定情報であってもよい。
【０１９３】
ネットワークトラフィック測定部６４０は、モバイル端末３１０によって収集された測定情報を追加的に使用することによってネットワークトラフィックを測定してもよい。
【０１９４】
図１〜図５を参照しながら上述した本発明の一実施形態に係る技術的内容は、本実施形態にそのまま適用されてもよい。したがって、さらに詳細な説明は以下では省略する。
【０１９５】
図７は、本発明の一実施形態におけるＶＰＮ方式によって得られたデータを示した図である。
【０１９６】
第１データ７１０は、モバイル端末３１０がモバイル検索アプリケーションを使用したときに得られたデータであってもよい。
【０１９７】
第２データ７２０は、モバイル端末３１０がモバイル検索ウェブを実行したときに得られたデータであってもよい。
【０１９８】
両者のデータはすべて、ドメイン、パラメータ、タイムスタンプなどを含んでもよい。
【０１９９】
本発明の一実施形態に係る方法は、多様なコンピュータ手段によって実行が可能なプログラム命令形態で実現されてコンピュータで読み取り可能な媒体に記録されてもよい。コンピュータで読み取り可能な媒体は、プログラム命令、データファイル、データ構造などを単独または組み合わせて含んでもよい。媒体に記録されるプログラム命令は、実施形態のために特別に設計されて構成されたものであってもよく、コンピュータソフトウェアの当業者に公知であって使用可能なものであってもよい。コンピュータで読み取り可能な記録媒体の例としては、ハードディスク、フロッピー（登録商標）ディスク、および磁気テープのような磁気媒体（ｍａｇｎｅｔｉｃ  ｍｅｄｉａ）、ＣＤ−ＲＯＭ、ＤＶＤのような光記録媒体（ｏｐｔｉｃａｌ  ｍｅｄｉａ）、フロプティカルディスク（ｆｌｏｐｔｉｃａｌ  ｄｉｓｋ）のような磁気−光媒体（ｍａｇｎｅｔｏ−ｏｐｔｉｃａｌ  ｍｅｄｉａ）、およびＲＯＭ、ＲＡＭ、フラッシュメモリなどのようなプログラム命令を保存して実行するように特別に構成されたハードウェア装置が含まれる。プログラム命令の例としては、コンパイラによって生成されるもののような機械語コードだけではなく、インタプリタなどを使用してコンピュータによって実行される高級言語コードを含む。上述したハードウェア装置は、実施形態の動作を実行するために１つ以上のソフトウェアモジュールとして作動するように構成されてもよく、その逆も同じである。
【０２００】
以上のように、実施形態を限定された実施形態と図面に基づいて説明したが、本発明は上述した実施形態に限定されるものではなく、本発明の属する分野において通常の知識を有する者であれば、上述した記載から多様な修正および変形が可能であろう。
【０２０１】
したがって、異なる実施形態および特許請求の範囲と均等なものも、添付の特許請求の範囲に属する。
【符号の説明】
【０２０２】
３１０：モバイル端末
３２０：ＶＰＮサーバ
４２０：プロキシサーバ
５００：モバイルネットワークトラフィック測定サーバ
【図１】
0005913562.tif 000002
【図２】
0005913562.tif 000003
【図３】
0005913562.tif 000004
【図４】
0005913562.tif 000005
【図５】
0005913562.tif 000006
【図６】
0005913562.tif 000007
【図７】
0005913562.tif 000008